(57)【要約】【課題】特に自社商品等の広告等のために用いられるパネルにおいて、煩雑な作業を行うことなく人目を十分に引くことが可能であるとともに、コストも低く抑えることが可能なパネルを提供すること。【解決手段】複数本の長尺状のフレーム材を略多角形状に枠組みすることにより形成されるフレーム２と、該フレーム２内に支持される、写真、絵画等を挟み込むための、透明体３および裏板４と、を具備するパネル１において、前記フレーム２の正面側全域に、又は、前記フレーム２の正面側全域、側面側全域、内周側の露出部分、裏面側全域及び前記裏板４の裏面に有機ＥＬ照明パネル６を備えたことを特徴としており、これにより、有機ＥＬ照明パネル６に電源を供給することで有機ＥＬ照明パネル６の部分を面状に発光させ、パネル全体をより目立たせることを可能にした。【選択図】図３
0003134305.tif 000002
【実用新案登録請求の範囲】
【請求項１】
複数本の長尺状のフレーム材を略多角形状に枠組みすることにより形成されるフレーム（２）と、
該フレーム（２）内に支持される、写真、絵画等を挟み込むための、透明体（３）および裏板（４）と、を具備するパネル（１）において、
少なくとも前記フレーム（２）の正面側に有機ＥＬ照明パネル（６）を備えたことを特徴とするパネル。
【請求項２】
複数本の長尺状のフレーム材を略多角形状に枠組みすることにより形成されるフレーム（２）と、
該フレーム（２）内に支持される、写真、絵画等を挟み込むための、透明体（３）および裏板（４）と、を具備するパネル（１）において、
少なくとも前記フレーム（２）の正面側、及び前記裏板（４）の裏面に有機ＥＬ照明パネル（６）を備えたことを特徴とするパネル。
【考案の詳細な説明】
【技術分野】
【０００１】
本考案は、絵画、写真等を挟み込んで支持するためのパネルに係り、より詳しくは、略四角形状に枠組みされたフレームとこのフレームの内周に支持された透明体及び裏板とを備えるパネルにおいて、少なくとも前記フレームの正面側に有機ＥＬ照明パネルを備えたことを特徴とするパネルに関する。
【背景技術】
【０００２】
従来から、商品広告等の手法の一つとして、文字、模様等を描いた広告をパネルに挿装し、この広告を挿装したパネルを展示等することが行なわれている。即ち、パネルは一般的に、多角形状に枠組みされたフレームと、このフレーム内に支持されるとともに、写真、絵画、文字等を挟み込んで支持することが可能な裏板および透明体を備えており、裏板と透明体の間に広告等を挟み込むとともに、この広告等を挟み込んだパネルを、例えば展示会場等の自社ブース内に飾ることにより、自社商品等の広告を行なうことが一般的に行なわれている。
【０００３】
しかしながら、このように、単にパネル内に商品広告等を挟み込んでいるのみでは、文字、模様等に鮮明な色彩を用いた場合であっても、来場者に強力にアピールすることは困難である。
【０００４】
また、店舗等における店頭広告においても、単に自社商品の広告等をパネルに挿装しただけでは、特に繁華街等においては有効な広告とはなり得ない。
【０００５】
更に、単に広告等をパネルに挿装した従来の方法では、周囲が暗い場合には立たないという大きな問題点もある。
【０００６】
この点、展示会場における来場者に自社ブース等を強力にアピールするために、あるいは繁華街等において自社を強力にアピールするために、ネオンサインによる電飾看板等を用いる方法も考えられるが、電飾看板の場合には、装備が大掛かりになるとともにコストも上がってしまい、更に、ネオンサインでは蛍光灯等の寿命の関係で定期的に保守、交換を必要とするために手間や費用等がかかるという問題点がある。
【０００７】
また、本出願人は過去において、任意の文字、模様等を発光可能に描いたＥＬフィルムを内部に挿装して構成したパネルを提案しているが、かかる場合には、文字、模様等が変わるたびごとにＥＬフィルムを交換しなければならず煩わしさに堪えない。
【特許文献１】実用新案登録第３０９８１１７号公報
【考案の開示】
【考案が解決しようとする課題】
【０００８】
そこで、本考案は、特に自社商品等の広告等のために用いられるパネルにおいて、煩雑な作業を行うことなく人目を十分に引くことが可能であるとともに、コストも低く抑えることが可能なパネルを提供することを課題としている。
【課題を解決するための手段】
【０００９】
周知の通り、近年、有機ＥＬの用途が広がりつつあるが、この有機ＥＬは、プラスチック、硝子等の基板上に、電極、発光層等として機能する極めて薄い膜を重ねた構造となっており、電極に電圧をかけることにより発光層が発光するものであるため、極めて薄く、単独で使用するには実用的ではない。
【００１０】
そこで、本考案者は、このような極めて薄い有機ＥＬ照明パネルをフレームに備えたパネルを考案した。
【００１１】
即ち、請求項１に記載の本考案のパネルは、複数本の長尺状のフレーム材を略多角形状に枠組みすることにより形成されるフレームと、このフレーム内に支持される、写真、絵画等を挟み込むための、透明体および裏板と、を具備するパネルにおいて、少なくとも前記フレームの正面側に有機ＥＬ照明パネルを備えたことを特徴としている。
【００１２】
また、請求項２に記載の本考案のパネルは、複数本の長尺状のフレーム材を略多角形状に枠組みすることにより形成されるフレームと、該フレーム内に支持される、写真、絵画等を挟み込むための、透明体および裏板と、を具備するパネルにおいて、少なくとも前記フレームの正面側と、前記裏板の裏面に有機ＥＬ照明パネルを備えたことを特徴としている。
【考案の効果】
【００１３】
本考案では、この有機ＥＬ照明パネルをフレームの正面側に備えているため、有機ＥＬ照明パネルの電極に電圧を加えることによりフレーム部分を面発光させることができ、単に静的な広告をパネルに挿装した場合と異なり、見る者に強烈な印象を与えて自社商品等を強力にアピールすることが可能であるとともに、周囲が暗い場合でも、パネル全体を際だたせることが可能である。
【００１４】
また、室内等に本考案のパネルを飾っておくことにより、絵画、写真等を額装していない場合でも、照明としての機能を発揮することが可能である。
【考案を実施するための最良の形態】
【００１５】
請求項１に記載の本考案のパネルでは、長尺状のフレーム材を多角形状に枠組みすることによってフレームが形成されるとともに、このフレーム内には透明体及び裏板が支持され、この透明体及び裏板間に、写真、絵画等を挟み込むことを可能としている。そして、少なくとも前記フレームの正面側には、有機ＥＬ照明パネルが貼着されている。
【００１６】
また、請求項２に記載の本考案のパネルでは、長尺状のフレーム材を多角形状に枠組みすることによってフレームが形成されるとともに、このフレーム内には透明体及び裏板が支持され、この透明体及び裏板間に、写真、絵画等を挟み込むことを可能としている。そして、少なくとも前記フレームの正面側と、前記裏板の裏面には、有機ＥＬ照明パネルが貼着されている。
【実施例１】
【００１７】
本考案のパネルの実施例について図面を参照して説明すると、図１は、本実施例のパネルの正面図であり、また図２は本実施例のパネルの背面図であり、図３は図１におけるＡ−Ａ線断面構造を拡大するとともに一部を省略して示した図であり、図において１が本実施例のパネルである。また、図１において５は、パネル１に挿装した絵画等である。
【００１８】
そして、本実施例のパネル１は、図に示すように、全体として略四角形状としている。即ち、本実施例のパネル１では、４本の長尺状のフレーム材を略四角形状に枠組みすることによりフレーム２が形成されており、このフレーム２内に、裏板４および透明体３が支持され、この裏板４と透明体３間に写真、絵画等５を挟み込むとともに、前記フレーム２に回動自在に装着した係止部材８によって裏板４を係止することにより、パネル１に写真、絵画等５を装着可能としている。
【００１９】
ここで、図３において、前記フレーム２には、その裏面において、内周側全域に亘って、段差状とした載置部２０１が形成されており、この載置部２０１上に、透明体３および裏板４の周縁部を載置可能としている。
【００２０】
そして、前記載置部２０１上に透明体３の周縁部を載置するとともに、この透明体３に重ね合わせるような配置で、裏板４の周縁部を前記載置部２０１上に載置して、更に、裏板４をとんぼ等の係止部材８でフレーム２に係止して、これによりフレーム２内に裏板４および透明体３を支持可能としている。そして、使用に際しては、透明体３と裏板４間に写真、絵画等５を挟み込むことを可能としている。
【００２１】
次に、図３において６は、有機ＥＬ照明パネルである。即ち、本実施例におけるパネル１では、前記フレーム２における表面に、具体的には、フレーム２の正面側全域、側面側全域、及び、内周側の露出部分に有機ＥＬ照明パネル６を貼着しており、これにより、フレーム２を面発光させてパネル１の全体を際だたせて広告媒体等として機能させることを可能としている。
【００２２】
即ち、前述したように、従来から、有機ＥＬ照明パネルでは、電極層に電圧を加えることにより、発光層が、面状に、蛍光あるいはリン光に発光するが、極めて薄いために単独で使用することは難しい。
【００２３】
そこで、本考案のパネルでは、パネルを構成するフレームの正面側全域、側面側全域、及び、内周側の露出部分に有機ＥＬ照明パネル６を貼着し、これによって、有機ＥＬ照明パネルの機能を引き出して、この機能によってパネル１の全体を、より目立つ広告媒体とすることを可能としている。
【００２４】
次に、本実施例のパネルの使用方法について説明すると、本実施例のパネル１を使用する場合には、まず、商品宣伝や自社の宣伝、あるいは風景、人物等の写真や絵画を、透明体３と裏板４間に挟み込んで額装した状態で、前記有機ＥＬ照明パネル６に電源を供給する。なお、図示は省略するが、電源の供給方法としては、例えば、有機ＥＬ照明パネル６の電極層にリード線を電気的に接続するとともに、そのリード線の先端に電源プラグ等を接触しておけばよく、この構成で、電源プラグを電源に接続することで、有機ＥＬ照明パネル６に電源を供給することが可能である。
【００２５】
そうすると、電源の供給により、前記有機ＥＬ照明パネル６が面状に発光し、これにより、パネル１の全体を目立たせることが可能となる。
【００２６】
このように、本考案では、この有機ＥＬ照明パネルをフレームの表面に備えているために、有機ＥＬ照明パネルの電極に電圧を加えることによりフレーム部分を面発光させることができ、単に静的な広告をパネルに挿装した場合と異なり、見る者に強烈な印象を与えて自社商品等を強力にアピールすることが可能であるとともに、周囲が暗い場合でも、パネル全体を際だたせることが可能である。
【００２７】
また、室内等に本考案のパネルを飾っておくことにより、絵画、写真等を額装していない場合でも、照明としての機能を発揮することが可能である。
【００２８】
なお、前述の実施例では、フレーム２の正面側全域、側面側全域、及び、内周側の露出部分に有機ＥＬ照明パネル６を貼着した形態を説明したが、フレーム２の正面側全域にのみ有機ＥＬ照明パネル６を貼着した構成としてもよい。
【００２９】
また、フレーム２の正面側全域、側面側全域、及び、内周側の露出部分に加えて、フレーム２の裏面と前記裏板４の裏面に有機ＥＬ照明パネル６を貼着してもよい。この形態の側面構造を示した一部省略断面図が図４である。即ち、図４に示すパネル１１では、フレーム２の正面側全域、側面側全域、及び、内周側の露出部分に有機ＥＬ照明パネル６を貼着するとともに、前記裏板４の裏面全域にも有機ＥＬ照明パネル６を貼着している。
【００３０】
即ち、一般的にパネルは壁等に係止されるが、場合によっては、紐等により天井から吊して使用されることもある。そこで、図４に示す形態では、パネル１１の裏面側も有機ＥＬ照明パネルで面発光させ、これにより裏面も目立たせることを可能にしている。
【産業上の利用可能性】
【００３１】
本考案のパネルでは、少なくともフレームの表面に有機ＥＬ照明パネルを貼着し、これにより、パネルの全体を目立たせることを可能にしていため、とんぼ等の係止手段によって裏板をフレームに係止する、いわゆる一般的なパネルの他に、フレーム自体を回動して写真、絵画等を収納可能なフロントオープン式のパネル等、室内等に飾るパネルの全般に適用可能である。
【図面の簡単な説明】
【００３２】
【図１】本考案のパネルの実施例の正面を示す図である。
【図２】本考案のパネルの実施例の背面を示す図である。
【図３】図１におけるＡ−Ａ線断面構造を拡大して示した一部省略断面図である。
【図４】本考案のパネルの他の実施例の構造を示す一部省略縦断側面図である。
【符号の説明】
【００３３】
１、１１    パネル
２    フレーム
３    透明体
４    裏板
５    絵画等
６    有機ＥＬ照明パネル
８    係止部材
【図１】
0003134305.tif 000003
【図２】
0003134305.tif 000004
【図３】
0003134305.tif 000005
【図４】
0003134305.tif 000006